(57)【要約】【課題】地図データを限定して配信および課金を行うことができるようにする。【解決手段】標準地図記憶部２２１は、標準道路を表す標準地図データを記憶する。地域地図記憶部２２２は、地域毎に地域道路を表す地域地図データを記憶する。通信部２２３は、目的地を示す配信要求を受信する。抽出部２１３は、目的地を含んだ目的地域の地域地図データから、目的地道路を表す目的地道路データを抽出する。配信部２１４は、目的地道路データを要求元へ配信する。課金部２１５は、目的地道路データについての課金処理を行う。目的地道路は、目的地域の地域道路のうち目的地域における標準道路の出口から目的地までの経路に含まれる部分である。【選択図】図２
2019095285.tif 000002
【特許請求の範囲】
【請求項１】
標準道路を表す標準地図データを記憶する標準地図記憶部と、
地域毎に、前記標準道路とは異なる道路である地域道路を表す地域地図データを記憶する地域地図記憶部と、
目的地を示す配信要求を受信する通信部と、
前記目的地を含んだ目的地域の地域地図データから、目的地道路を表す目的地道路データを抽出する抽出部と、
前記目的地道路データを要求元へ配信する配信部と、
前記目的地道路データが配信された場合に前記目的地道路データについての課金処理を行う課金部とを備え、
前記目的地道路は、前記目的地域の地域道路のうち前記目的地域における前記標準道路の出口から前記目的地までの経路に含まれる部分である
地図サーバ装置。
【請求項２】
前記課金部は、前記目的地道路データの料金を前記要求元の利用者に対して課金する
請求項１に記載の地図サーバ装置。
【請求項３】
前記課金部は、前記目的地道路データの料金を前記目的地域の前記地域地図データを提供した提供者に対して課金する
請求項１に記載の地図サーバ装置。
【請求項４】
前記抽出部は、前記目的地域の前記地域地図データから、勧誘地道路を表す勧誘地道路データを抽出し、
前記配信部は、前記勧誘地道路データを前記要求元へ配信し、
前記課金部は、前記勧誘地道路データが配信された場合に前記勧誘地道路データについての課金処理を行い、
前記勧誘地道路は、前記目的地域の前記地域道路のうち前記目的地道路の途中から勧誘地までの部分である
請求項１に記載の地図サーバ装置。
【請求項５】
前記課金部は、前記勧誘地道路データの料金を前記要求元の利用者に対して課金する
請求項４に記載の地図サーバ装置。
【請求項６】
前記課金部は、前記勧誘地道路データの料金を前記目的地域の前記地域地図データを提供した提供者に対して課金する
請求項４に記載の地図サーバ装置。
【請求項７】
前記配信要求は、さらに出発地を示し、
前記抽出部は、前記出発地を含んだ出発地域の地域地図データから、出発地道路を表す出発地道路データを抽出し、
前記配信部は、前記出発地道路データを前記要求元へ配信し、
前記課金部は、前記出発地道路データが配信された場合に前記出発地道路データについての課金処理を行い、
前記出発地道路は、前記出発地域の地域道路のうち前記出発地から前記出発地域における前記標準道路の入口までの経路に含まれる部分である
請求項１から請求項６のいずれか１項に記載の地図サーバ装置。
【請求項８】
前記課金部は、前記出発地道路データの料金を前記要求元の利用者に対して課金する
請求項７に記載の地図サーバ装置。
【請求項９】
前記課金部は、前記出発地道路データの料金を前記出発地域の前記地域地図データを提供した提供者に対して課金する
請求項７に記載の地図サーバ装置。
【請求項１０】
前記標準地図データと各地域地図データとが自動運転に使用されるデータである
請求項１から請求項９のいずれか１項に記載の地図サーバ装置。
【請求項１１】
地域毎に地域地図データを記憶する地域地図記憶部と、
レンタカーが貸し出されるレンタル地域の地域地図データを選択し、選択した地域地図データを前記レンタカーの車載端末へ配信する配信部と、
配信された地域地図データの料金をレンタカー会社に対して課金するための課金処理を行う課金部と
を備える地図サーバ装置。
【請求項１２】
各地域地図データが自動運転に使用されるデータである
請求項１１に記載の地図サーバ装置。
【請求項１３】
通信部が、目的地を示す配信要求を受信し、
抽出部が、前記目的地を含んだ目的地域の地域地図データから、目的地道路を表す目的地道路データを抽出し、
配信部が、前記目的地道路データを要求元へ配信し、
課金部が、前記目的地道路データが配信された場合に前記目的地道路データについての課金処理を行い、
前記目的地道路は、前記目的地域の地域道路のうち前記目的地域における標準道路の出口から前記目的地までの経路に含まれる部分である
地図配信方法。
【発明の詳細な説明】
【技術分野】
【０００１】
本発明は、地図データの配信に関するものである。
【背景技術】
【０００２】
２０１５年度から高速道路を対象にしてダイナミックマップの開発および整備が進められている。
ダイナミックマップは、動的情報、准動的情報、准静的情報および静的情報を含んだ高精度３次元地図である。
ダイナミックマップの静的情報は、道路の車線を数センチメートルから数十センチメートルの精度で識別する。
【０００３】
ダイナミックマップに対応した自動車は、自動運転が可能である。
その自動車には、カメラおよびレーダ等のセンサが搭載される。そして、各センサによって得られた情報が、ダイナミックマップから得られる情報（車線および道路地物などの情報）と比較される。これにより、自動車の正確な位置を認識することが可能となる。その結果、自動運転制御の性能が向上する。
【０００４】
特許文献１は、ダイナミックマップを用いた自動運転制御の形態を示している。
今後の自動運転車の普及に備えて、一般道を対象にしたダイナミックマップの開発および整備が必要とされている。
【０００５】
特許文献２は、ダイナミックマップの整備の形態を示している。
モービルマッピングシステム（ＭＭＳ）では、計測車両により道路の３次元点群情報が収集され、３次元点群情報から道路および地物の線形化データが得られる。そして、得られた線形化データを元に、ダイナミックマップが生成される。生成されたダイナミックマップは、地図会社および自動車会社に配信される。
ダイナミックマップの整備を進めるためには、計測車両により長距離を走行する必要がある。
【０００６】
特許文献３に係る発明は、誘導経路の一部で高精度の地図データが備わっていないときに誘導経路に自動運転できない部分が存在する旨を報知するものである。
特許文献３に係る発明の目的は、高精度の地図データが整備されているエリアと高精度の地図データが整備されていないエリアとが混在する状況で生じる運転者の違和感が解消することである。
このような違和感は、一般道を対象にしたダイナミックマップの整備が進めば、解消される。
【０００７】
特許文献４は、地図表示用のデータの部分的な更新作業を効率化するための技術を開示している。
ダイナミックマップの普及を促進するためには、ダイナミックマップの更新作業を簡略化することが必要となる。
【０００８】
特許文献５は、経路探索時の案内情報表示における利用者の利便性の向上を図るための方法を開示している。具体的には、経路とともに注目地域を案内する案内情報が表示される。これにより、利用者は、経路上に存在しない注目地域へ立ち寄る等、出発地から目的地までの移動時の行動を種々選択できる。
利用者の利便性の向上は、ダイナミックマップの整備にも必要とされる。
【先行技術文献】
【特許文献】
【０００９】
【特許文献１】国際公開２０１７／１５００５９号公報
【特許文献２】国際公開２０１７／１１０８０１号公報
【特許文献３】特開２０１６−２００４７２号公報
【特許文献４】国際公開２００５／０８８５８４号公報
【特許文献５】特開２００９−２２２５７２号公報
【発明の概要】
【発明が解決しようとする課題】
【００１０】
本発明は、地図データを限定して配信および課金を行うことができるようにすることを目的とする。
【課題を解決するための手段】
【００１１】
本発明の地図サーバ装置は、
標準道路を表す標準地図データを記憶する標準地図記憶部と、
地域毎に、前記標準道路とは異なる道路である地域道路を表す地域地図データを記憶する地域地図記憶部と、
目的地を示す配信要求を受信する通信部と、
前記目的地を含んだ目的地域の地域地図データから、目的地道路を表す目的地道路データを抽出する抽出部と、
前記目的地道路データを要求元へ配信する配信部と、
前記目的地道路データが配信された場合に前記目的地道路データについての課金処理を行う課金部とを備える。
前記目的地道路は、前記目的地域の地域道路のうち前記目的地域における前記標準道路の出口から前記目的地までの経路に含まれる部分である。
【発明の効果】
【００１２】
本発明によれば、地図データを限定して配信および課金を行うことができる。
【図面の簡単な説明】
【００１３】
【図１】実施の形態１における地図配信システム１００の構成図。
【図２】実施の形態１における地図サーバ装置２００の構成図。
【図３】実施の形態１における車載端末１２０の構成図。
【図４】実施の形態１における標準地図３１０を示す図。
【図５】実施の形態１における地域地図３２０を示す図。
【図６】実施の形態１における出発地域３３０と目的地域３４０とを示す図。
【図７】実施の形態１における出発地道路３３２を示す図。
【図８】実施の形態１における目的地道路３４２を示す図。
【図９】実施の形態１における地図管理方法のフローチャート。
【図１０】実施の形態１における地図配信方法のフローチャート。
【図１１】実施の形態１における地図配信方法の具体例のフローチャート。
【図１２】実施の形態１における地図配信方法の具体例のフローチャート。
【図１３】実施の形態１における地域一覧画面４０１を示す図。
【図１４】実施の形態１における候補地一覧画面４０２を示す図。
【図１５】実施の形態１における勧誘地一覧画面４０３を示す図。
【発明を実施するための形態】
【００１４】
実施の形態および図面において、同じ要素および対応する要素には同じ符号を付している。同じ符号が付された要素の説明は適宜に省略または簡略化する。図中の矢印はデータの流れ又は処理の流れを主に示している。
【００１５】
実施の形態１．
地図配信システム１００について、図１から図１５に基づいて説明する。
【００１６】
＊＊＊構成の説明＊＊＊
図１に基づいて、地図配信システム１００の構成を説明する。
地図配信システム１００は、地図サーバ装置２００を備える。
地図サーバ装置２００は、ネットワーク１０１を介して、地図データを車載端末１２０に配信する。具体的なネットワーク１０１はインターネットである。
具体的には、標準地図データおよび地域地図データが配信される。標準地図データおよび地域地図データは、ダイナミックマップの静的情報に相当し、自動運転に使用される。
標準地図データおよび地域地図データの詳細については後述する。
【００１７】
車載端末１２０は、車両１１０に搭載されたコンピュータである。
具体的には、車両１１０は自動運転車両であり、車載端末１２０は自動運転装置である。
【００１８】
図２に基づいて、地図サーバ装置２００の構成を説明する。
地図サーバ装置２００は、プロセッサ２０１とメモリ２０２と補助記憶装置２０３と通信装置２０４と入出力インタフェース２０５といったハードウェアを備えるコンピュータである。これらのハードウェアは、信号線を介して互いに接続されている。
【００１９】
プロセッサ２０１は、演算処理を行うＩＣ（Ｉｎｔｅｇｒａｔｅｄ  Ｃｉｒｃｕｉｔ）であり、他のハードウェアを制御する。例えば、プロセッサ２０１は、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、またはＧＰＵ（Ｇｒａｐｈｉｃｓ  Ｐｒｏｃｅｓｓｉｎｇ  Ｕｎｉｔ）である。
メモリ２０２は揮発性の記憶装置である。メモリ２０２は、主記憶装置またはメインメモリとも呼ばれる。例えば、メモリ２０２はＲＡＭ（Ｒａｎｄｏｍ  Ａｃｃｅｓｓ  Ｍｅｍｏｒｙ）である。メモリ２０２に記憶されたデータは必要に応じて補助記憶装置２０３に保存される。
補助記憶装置２０３は不揮発性の記憶装置である。例えば、補助記憶装置２０３は、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、またはフラッシュメモリである。補助記憶装置２０３に記憶されたデータは必要に応じてメモリ２０２にロードされる。
通信装置２０４は、レシーバ及びトランスミッタである。例えば、通信装置２０４は、通信チップまたはＮＩＣ（Ｎｅｔｗｏｒｋ  Ｉｎｔｅｒｆａｃｅ  Ｃａｒｄ）である。
入出力インタフェース２０５は、入出力装置が接続されるポートである。例えば、入出力インタフェース２０５はＵＳＢ端子である。ＵＳＢはＵｎｉｖｅｒｓａｌ  Ｓｅｒｉａｌ  Ｂｕｓの略称である。
【００２０】
地図サーバ装置２００は、地域地図取得部２１０と地域地図管理部２１１と制御部２１２と抽出部２１３と配信部２１４と課金部２１５といった要素を備える。これらの要素はソフトウェアで実現される。
【００２１】
補助記憶装置９０３には、地域地図取得部２１０と地域地図管理部２１１と制御部２１２と抽出部２１３と配信部２１４と課金部２１５と標準地図記憶部２２１と地域地図記憶部２２２と通信部２２３と受付部２２４としてコンピュータを機能させるための地図サーバプログラムが記憶されている。地図サーバプログラムは、メモリ２０２にロードされて、プロセッサ２０１によって実行される。
さらに、補助記憶装置２０３にはＯＳ（Ｏｐｅｒａｔｉｎｇ  Ｓｙｓｔｅｍ）が記憶されている。ＯＳの少なくとも一部は、メモリ２０２にロードされて、プロセッサ２０１によって実行される。
つまり、プロセッサ２０１は、ＯＳを実行しながら、地図サーバプログラムを実行する。
地図サーバプログラムを実行して得られるデータは、メモリ２０２、補助記憶装置２０３、プロセッサ２０１内のレジスタまたはプロセッサ２０１内のキャッシュメモリといった記憶装置に記憶される。
【００２２】
補助記憶装置２０３は、標準地図記憶部２２１と地域地図記憶部２２２として機能する。但し、他の記憶装置が、補助記憶装置２０３の代わりに、又は、メモリ２０２と共に、標準地図記憶部２２１と地域地図記憶部２２２として機能してもよい。
通信装置２０４は、通信部２２３として機能する。
入出力インタフェース２０５は、受付部２２４として機能する。
【００２３】
地図サーバ装置２００は、プロセッサ２０１を代替する複数のプロセッサを備えてもよい。複数のプロセッサは、プロセッサ２０１の役割を分担する。
【００２４】
地図サーバプログラムは、光ディスクまたはフラッシュメモリ等の不揮発性の記録媒体にコンピュータで読み取り可能に記録（格納）することができる。
【００２５】
図３に基づいて、車載端末１２０の構成を説明する。
車載端末１２０は、プロセッサ１２０１とメモリ１２０２と補助記憶装置１２０３と通信装置１２０４といったハードウェアを備えるコンピュータである。これらのハードウェアは、信号線を介して互いに接続されている。
【００２６】
プロセッサ１２０１は、演算処理を行うＩＣであり、他のハードウェアを制御する。例えば、プロセッサ１２０１は、ＣＰＵ、ＤＳＰ、またはＧＰＵである。
メモリ１２０２は揮発性の記憶装置である。メモリ１２０２は、主記憶装置またはメインメモリとも呼ばれる。例えば、メモリ１２０２はＲＡＭである。メモリ１２０２に記憶されたデータは必要に応じて補助記憶装置１２０３に保存される。
補助記憶装置１２０３は不揮発性の記憶装置である。例えば、補助記憶装置１２０３は、ＲＯＭ、ＨＤＤ、またはフラッシュメモリである。補助記憶装置１２０３に記憶されたデータは必要に応じてメモリ１２０２にロードされる。
通信装置１２０４はレシーバ及びトランスミッタである。例えば、通信装置１２０４は通信チップまたはＮＩＣである。
入出力インタフェース１２０５は、入出力装置が接続されるポートである。例えば、入出力インタフェース１２０５はＵＳＢ端子である。
【００２７】
車載端末１２０は、制御部１２１１と自動運転部１２１２といった要素を備える。これらの要素はソフトウェアで実現される。
【００２８】
補助記憶装置１２０３には、制御部１２１１と自動運転部１２１２と記憶部１２２１と通信部１２２２と受付部１２２３としてコンピュータを機能させるための車載プログラムが記憶されている。車載プログラムは、メモリ１２０２にロードされて、プロセッサ１２０１によって実行される。
さらに、補助記憶装置１２０３にはＯＳが記憶されている。ＯＳの少なくとも一部は、メモリ１２０２にロードされて、プロセッサ１２０１によって実行される。
つまり、プロセッサ１２０１は、ＯＳを実行しながら、車載プログラムを実行する。
車載プログラムを実行して得られるデータは、メモリ１２０２、補助記憶装置１２０３、プロセッサ１２０１内のレジスタまたはプロセッサ１２０１内のキャッシュメモリといった記憶装置に記憶される。
【００２９】
補助記憶装置１２０３は記憶部１２２１として機能する。但し、他の記憶装置が、補助記憶装置１２０３の代わりに、又は、補助記憶装置１２０３と共に、記憶部１２２１として機能してもよい。
通信装置１２０４は通信部１２２２として機能する。
入出力インタフェース１２０５は受付部１２２３として機能する。
【００３０】
車載端末１２０は、プロセッサ１２０１を代替する複数のプロセッサを備えてもよい。複数のプロセッサは、プロセッサ１２０１の役割を分担する。
【００３１】
車載プログラムは、光ディスクまたはフラッシュメモリ等の不揮発性の記録媒体にコンピュータで読み取り可能に記録（格納）することができる。
【００３２】
図４に基づいて、標準地図データを説明する。
標準地図データは、標準地図３１０のデータである。
標準地図３１０はメッシュで区切られている。各メッシュのデータを標準区域データという。つまり、標準地図データは複数の標準区域データから成る。
【００３３】
標準地図３１０は、標準道路３１１を表す地図である。
標準道路３１１は、地域（３０１Ａ、３０１Ｂ）を繋ぐ道路である。
具体的には、標準道路３１１は高速道路である。また、地域（３０１Ａ、３０１Ｂ）は、都道府県または市区町村である。
【００３４】
標準道路３１１は、モービルマッピングシステム（ＭＭＳ）によって予め計測されている。
標準地図データは、標準地図記憶部２２１に予め記憶される。また、標準地図データは、車載端末１２０に予め配信され、記憶部１２２１に記憶される。
【００３５】
図５に基づいて、地域地図データを説明する。
地域地図データは、地域地図（３２０Ａ、３２０Ｂ）のデータである。
地域地図（３２０Ａ、３２０Ｂ）はメッシュで区切られている。各メッシュのデータを地域区域データという。つまり、地域地図データは複数の地域区域データから成る。
【００３６】
地域地図（３２０Ａ、３２０Ｂ）は、地域道路（３２１Ａ、３２１Ｂ）を表す地図である。
地域道路（３２１Ａ、３２１Ｂ）は、地域（３０１Ａ、３０１Ｂ）に存在する道路のうち、モービルマッピングシステムによって計測された道路である。
具体的には、地域道路（３２１Ａ、３２１Ｂ）は、一般道路および地域有料道路である。
【００３７】
地域地図データは地域毎に生成される。そして、地域地図データは、地域地図記憶部２２２に地域毎に記憶される。
モービルマッピングシステムによって新たな地域が計測された場合、地域地図データが地域地図記憶部２２２に追加される。
【００３８】
地域区域データは区域毎に生成される。そして、地域区域データは、地域地図記憶部２２２に区域毎に記憶される。
モービルマッピングシステムによって新たな区域が計測された場合、地域区域データが地域地図データに追加される。
【００３９】
図６に基づいて、出発地域３３０および目的地域３４０を説明する。
出発地域３３０は、出発地３３１を含んだ地域である。
出発地３３１は、車両１１０が出発する場所である。例えば、出発地３３１は自宅である。
【００４０】
目的地域３４０は、目的地３４１を含んだ地域である。
目的地３４１は、車両１１０が目指す場所である。例えば、目的地３４１は観光地または宿泊施設である。
【００４１】
図７に基づいて、出発地道路３３２を説明する。
出発地道路３３２は、出発地域３３０の地域道路の一部である。
具体的には、出発地道路３３２は、出発地３３１から入口３１２までの経路に含まれる部分である。
【００４２】
入口３１２は、出発地域３３０における標準道路３１１の入口である。
【００４３】
開始地点３３３は、地域道路の開始地点である。例えば、開始地点３３３は駅である。
出発地３３１から開始地点３３３までの道路は、モービルマッピングシステムによって計測されていない。
【００４４】
図８に基づいて、目的地道路３４２を説明する。
目的地道路３４２は、目的地域３４０の地域道路の一部である。
具体的には、目的地道路３４２は、出口３１３から目的地３４１までの経路に含まれる部分である。
【００４５】
出口３１３は、目的地域３４０における標準道路３１１の出口である。
【００４６】
勧誘地３４３は、地域振興または観光促進のために車両１１０を誘導したい場所である。例えば、勧誘地３４３は観光地である。
【００４７】
勧誘地道路３４４は、目的地域３４０の地域道路の一部である。
具体的には、勧誘地道路３４４は、目的地道路３４２の途中から勧誘地３４３までの部分である。
【００４８】
＊＊＊動作の説明＊＊＊
図９に基づいて、地図管理方法を説明する。
地図管理方法は、地域地図データを管理する方法である。
【００４９】
ステップＳ１０１において、地域地図取得部２１０は、地域毎に地域地図データを取得する。
【００５０】
例えば、ステップＳ１０１は以下のような手順で行われる。
まず、モービルマッピングシステムの計測車両が、地域内の道路を計測する。
次に、管理者は、計測車両によって得られた各種の計測データを地図サーバ装置２００に入力する。受付部２２４は、入力された各種の計測データを受け付ける。
次に、地域地図取得部２１０は、各種の計測データに基づいて３次元道路データを生成する。３次元道路データは、道路の位置および形状を表す３次元点群データである。
そして、地域地図取得部２１０は、３次元道路データに基づいて地域地図データを生成する。
【００５１】
ステップＳ１０２において、地域地図管理部２１１は、各地域の地域地図データが取得される毎に、取得された地域地図データを記憶するための記憶領域を記憶装置（具体的には補助記憶装置２０３）に確保する。
そして、地域地図管理部２１１は、確保した記憶領域を地域地図記憶部２２２に割り当てる。つまり、地域地図管理部２１１は、確保した記憶領域を地域地図記憶部２２２に追加する。地域地図記憶部２２２に追加された記憶領域を追加領域という。
【００５２】
ステップＳ１０３において、地域地図記憶部２２２は、各地域の地域地図データが取得される毎に、取得された地域地図データを記憶する。
具体的には、地域地図記憶部２２２は、取得された地域地図データを追加領域に記憶する。
【００５３】
ステップＳ１０１からステップＳ１０３の説明において、地域地図データは地域区域データに置き換えてもよい。
【００５４】
図１０に基づいて、地図配信方法を説明する。
地図配信方法は、必要な地域地図データを配信する方法である。
地図配信方法の手順は地図配信プログラム（地図サーバプログラムの一例）の手順に相当する。
【００５５】
ステップＳ１１１において、通信部２２３は配信要求を受信する。
配信要求は、出発地３３１と目的地３４１と勧誘地３４３とを示すデータである。配信要求は２つ以上のデータであってもよい。
具体的には、車載端末１２０の通信部１２２２が配信要求を送信する。そして、地図サーバ装置２００の通信部２２３は配信要求を受信する。
【００５６】
ステップＳ１１２において、抽出部２１３は、配信要求に基づいて、各道路データを抽出する。
【００５７】
抽出部２１３は、以下のように出発地道路データを抽出する。出発地道路データは出発地道路３３２を表すデータである。具体的には、出発地道路データは、出発地道路３３２の少なくとも一部を含む区域の地域区域データである。
まず、抽出部２１３は、地域地図記憶部２２２から、出発地域３３０の地域地図データを選択する。
次に、抽出部２１３は、出発地域３３０の地域地図データに基づいて、出発地道路３３２を決定する。
そして、抽出部２１３は、出発地域３３０の地域地図データから、出発地道路データを抽出する。
【００５８】
抽出部２１３は、以下のように目的地道路データを抽出する。目的地道路データは目的地道路３４２を表すデータである。具体的には、目的地道路データは、目的地道路３４２の少なくとも一部を含む区域の地域区域データである。
まず、抽出部２１３は、地域地図記憶部２２２から、目的地域３４０の地域地図データを選択する。
次に、抽出部２１３は、目的地域３４０の地域地図データに基づいて、目的地道路３４２を決定する。
そして、抽出部２１３は、目的地域３４０の地域地図データから、目的地道路データを抽出する。
【００５９】
抽出部２１３は、以下のように勧誘地道路データを抽出する。勧誘地道路データは勧誘地道路３４４を表すデータである。具体的には、勧誘地道路データは、勧誘地道路３４４の少なくとも一部を含む区域の地域区域データである。
まず、抽出部２１３は、地域地図記憶部２２２から、目的地域３４０の地域地図データを選択する。
次に、抽出部２１３は、目的地域３４０の地域地図データに基づいて、勧誘地道路３４４を決定する。
そして、抽出部２１３は、目的地域３４０の地域地図データから、勧誘地道路データを抽出する。
【００６０】
ステップＳ１１３において、配信部２１４は、各道路データを要求元へ配信する。
具体的には、配信部２１４は、出発地道路データと目的地道路データと勧誘地道路データとを通信装置２０４を介して車載端末１２０へ送信する。
【００６１】
ステップＳ１１４は課金方法を示す。
ステップＳ１１４において、課金部２１５は、各道路データについて課金処理を行う。
出発地道路データが配信された場合、課金部２１５は、出発地道路データについての課金処理を行う。
課金処理において、課金部２１５は、出発地道路データの料金を要求元の利用者に対して課金する。または、課金部２１５は、出発地道路データの料金を出発地域３３０の地域地図データを提供した提供者に対して課金する。
【００６２】
目的地道路データが配信された場合、課金部２１５は、目的地道路データについての課金処理を行う。
課金処理において、課金部２１５は、目的地道路データの料金を要求元の利用者に対して課金する。または、課金部２１５は、目的地道路データの料金を目的地域３４０の地域地図データを提供した提供者に対して課金する。
【００６３】
勧誘地道路データが配信された場合、課金部２１５は、勧誘地道路データについての課金処理を行う。
課金処理において、課金部２１５は、勧誘地道路データの料金を要求元の利用者に対して課金する。または、課金部２１５は、勧誘地道路データの料金を目的地域３４０の地域地図データを提供した提供者に対して課金する。
【００６４】
課金は電子決済で行われる。
課金方法の一例は、定額課金および従量課金である。
課金先（利用者または提供者）は、予め決められている。
要求元は、車載端末１２０である。
提供者は、地図データの元となる計測データを提供した者である。例えば、提供者は地域の自治体である。
【００６５】
図１１および図１２に基づいて、地図配信方法の具体例を説明する。
ステップＳ２０１（図１１参照）において、車載端末１２０の受付部１２２３は開始指示を受け付ける。
開始指示は、地図配信サービスを開始させるための指示である。
【００６６】
例えば、制御部１２１１は、カーナビゲーションシステムのディスプレイに開始ボタンを表示する。利用者は、カーナビゲーションシステムを操作することによって、開始ボタンを押下する。そして、受付部１２２３は、開始ボタンの押下を検出する。
【００６７】
ステップＳ２０２において、車載端末１２０の通信部１２２２は、地域要求を地図配信システム１００へ送信する。
地域要求は、地図配信サービスの対象となる地域を知るための要求である。
【００６８】
ステップＳ２０３において、地図サーバ装置２００の通信部２２３は、地域要求を受信する。
地域要求が受信された場合、制御部２１２は、地域一覧を含んだ地域応答を生成する。そして、制御部２１２は、通信部２２３を介して、地域応答を車載端末１２０へ送信する。
地域一覧は、地域地図記憶部２２２に記憶されている。
【００６９】
ステップＳ２０４において、車載端末１２０の通信部１２２２は地域応答を受信する。
次に、制御部１２１１は、地域応答から地域一覧を取得し、地域一覧をディスプレイに表示する。
そして、受付部１２２３は、地域一覧から選択された目的地域３４０を受け付ける。
【００７０】
図１３に、地域一覧画面４０１を示す。
地域一覧画面４０１は、地域一覧を示す画面である。
例えば、制御部１２１１は、カーナビゲーションシステムのディスプレイに地域一覧画面４０１を表示させる。利用者は、カーナビゲーションシステムを操作することによって、目的地域３４０を選択する。そして、受付部１２２３は、選択された目的地域３４０を受け付ける。
【００７１】
図１１に戻り、ステップＳ２０５から説明を続ける。
ステップＳ２０５において、車載端末１２０の通信部１２２２は、目的地域３４０の名称を含んだ候補地要求を地図サーバ装置２００へ送信する。
【００７２】
ステップＳ２０６において、地図サーバ装置２００の通信部２２３は、候補地要求を受信する。
候補地要求が受信された場合、制御部２１２は、目的地域３４０の候補地一覧を含んだ候補地応答を生成する。そして、制御部２１２は、通信部２２３を介して、候補地応答を車載端末１２０へ送信する。
候補地一覧は、目的地の候補の一覧である。
各地域の候補地一覧は、地域地図記憶部２２２に記憶されている。
【００７３】
ステップＳ２０７において、車載端末１２０の通信部１２２２は候補地応答を受信する。
次に、制御部１２１１は、候補地応答から候補地一覧を取得し、候補地一覧をディスプレイに表示する。
そして、受付部１２２３は、候補地一覧から選択された目的地３４１を受け付ける。
【００７４】
図１４に、候補地一覧画面４０２を示す。
候補地一覧画面４０２は、候補地一覧を示す画面である。
例えば、制御部１２１１は、カーナビゲーションシステムのディスプレイに候補地一覧画面４０２を表示させる。利用者は、カーナビゲーションシステムを操作することによって、目的地３４１を選択する。そして、受付部１２２３は、選択された目的地３４１を受け付ける。
【００７５】
図１１に戻り、ステップＳ２０８から説明を続ける。
ステップＳ２０８において、車載端末１２０の通信部１２２２は、経路通知（配信要求の一例）を地図サーバ装置２００へ送信する。
経路通知は、出発地３３１と目的地３４１といった経路情報を示す。出発地３３１は、カーナビゲーションシステムから得られる。経路情報は、出発地３３１から目的地３４１までの移動経路を示す情報であってもよい。移動経路は、カーナビゲーションシステムから得られる。
【００７６】
ステップＳ２０９において、地図サーバ装置２００の通信部２２３は、経路通知を受信する。
経路通知が受信された場合、制御部２１２は、経路通知から経路情報を取得し、経路情報をメモリ２０２に登録する。具体的には、制御部２１２は、車載端末１２０の識別子に対応付けて経路情報をメモリ２０２（情報記憶部）に記憶する。
【００７７】
ステップＳ２１０において、制御部２１２は、通信部２２３を介して、登録通知を車載端末１２０へ送信する。
そして、車載端末１２０の通信部１２２２は登録通知を受信する。
【００７８】
ステップＳ２１１において、制御部２１２は、目的地３４１に基づいて、目的地域３４０の地域地図データから、１つ以上の勧誘地３４３を選択する。具体的には、制御部２１２は、目的地３４１の周辺に存在する勧誘地３４３を選択する。
次に、制御部２１２は、勧誘地一覧を含んだ勧誘要求を生成する。勧誘地一覧は、選択された勧誘地３４３を示す。
そして、制御部２１２は、通信部２２３を介して、勧誘要求を車載端末１２０へ送信する。
【００７９】
ステップＳ２１２において、車載端末１２０の通信部１２２２は勧誘要求を受信する。
次に、制御部１２１１は、勧誘要求から勧誘地一覧を取得し、勧誘地一覧をディスプレイに表示する。
そして、受付部１２２３は、勧誘地一覧から選択された勧誘地３４３を受け付ける。受け付けられる勧誘地３４３を立寄り地という。
【００８０】
図１５に、勧誘地一覧画面４０３を示す。
勧誘地一覧画面４０３は、勧誘地一覧を示す画面である。
例えば、制御部１２１１は、カーナビゲーションシステムのディスプレイに勧誘地一覧画面４０３を表示させる。利用者は、カーナビゲーションシステムを操作することによって、勧誘地一覧から勧誘地３４３（立寄り地）を選択する。そして、受付部１２２３は、選択された勧誘地３４３（立寄り地）を受け付ける。
【００８１】
図１１に戻り、ステップＳ２１３から説明を続ける。
ステップＳ２１３において、車載端末１２０の通信部１２２２は、立寄り地の名称を含んだ勧誘応答（配信要求の一例）を地図サーバ装置２００へ送信する。
【００８２】
ステップＳ２１４において、地図サーバ装置２００の通信部２２３は、勧誘応答を受信する。
勧誘応答が受信された場合、制御部２１２は、勧誘応答から立寄り地の名称を取得する。そして、制御部２１２は、車載端末１２０の識別子に対応付けられた経路情報に立寄り地の名称を追加する。
【００８３】
ステップＳ２２１において、抽出部２１３は、経路情報に基づいて区域順序を決定する。経路情報は、出発地３３１と目的地３４１と立寄り地（勧誘地３４３）とを示す。
区域順序は、走行区域の順序である。
走行区域は、車両１１０が走行する区域（標準区域および地域区域）である。
【００８４】
具体的には、抽出部２１３は区域順序を以下のように決定する。
まず、抽出部２１３は、地域地図記憶部２２２から出発地域３３０の地域地図データを選択し、出発地域３３０の地域地図データに基づいて出発地道路３３２を決定する。
次に、抽出部２１３は、入口３１２から出口３１３までの標準道路３１１を標準地図データに基づいて決定する。
次に、抽出部２１３は、地域地図記憶部２２２から目的地域３４０の地域地図データを選択し、目的地域３４０の地域地図データに基づいて目的地道路３４２と勧誘地道路３４４とを決定する。
そして、抽出部２１３は、出発地道路３３２と標準道路３１１と目的地道路３４２と勧誘地道路３４４とに基づいて、走行区域と区域順序とを決定する。
【００８５】
ステップＳ２２２において、制御部２１２は、通信部２２３を介して、バージョン要求を車載端末１２０へ送信する。
バージョン要求は、走行区域に該当する標準区域毎に区域識別子を含む。
【００８６】
ステップＳ２２３において、車載端末１２０の通信部１２２２はバージョン要求を受信する。
次に、制御部１２１１は、バージョン要求に含まれる区域識別子毎に端末側の標準地図データから標準区域データを選択し、選択した標準区域データからバージョン番号を取得する。端末側の標準地図データは、記憶部１２２１に記憶されている標準地図データである。
そして、制御部１２１１は、通信部１２２２介して、バージョン応答を地図サーバ装置２００へ送信する。
バージョン応答は、走行区域に該当する標準区域毎に区域情報を含む。
区域情報は、区域識別子とバージョン番号とを含む。
【００８７】
ステップＳ２２４において、地図サーバ装置２００の通信部２２３は、バージョン応答を受信する。
バージョン応答が受信された場合、制御部２１２は、バージョン応答に含まれる区域情報毎に、端末側バージョン番号が有効なバージョン番号であるか確認する。端末側バージョン番号は、区域情報に含まれるバージョン番号である。有効なバージョン番号は、自動運転のための使用が許可される標準区域データのバージョン番号である。例えば、最新のバージョン番号は有効なバージョン番号である。
具体的には、制御部２１２は、端末側バージョン番号をバージョン一覧と比較する。バージョン一覧は有効なバージョン番号を示す。端末側バージョン番号がバージョン一覧に含まれない場合、端末側バージョン番号は無効なバージョン番号である。
【００８８】
ステップＳ２２５およびステップＳ２２７は、少なくともいずれかの端末側バージョン番号が無効なバージョン番号である場合に実行される。
【００８９】
ステップＳ２２５において、地図サーバ装置２００の抽出部２１３は、無効な端末バージョン毎に、以下の処理を行う。
まず、抽出部２１３は、無効な端末バージョン番号が含まれる区域情報から区域識別子を取得する。
そして、抽出部２１３は、取得した区域識別子で識別される区域の標準区域データを標準地図データから抽出する。
【００９０】
地図サーバ装置２００の配信部２１４は、通信部２２３を介して、更新データを車載端末１２０へ送信する。
更新データは、抽出された標準区域データ毎に更新情報を含む。
更新情報は、標準区域データと区域識別子とを含む。
【００９１】
ステップＳ２２６において、車載端末１２０の通信部１２２２は更新データを受信する。
そして、制御部１２１１は、更新データに含まれる更新情報毎に、端末側の標準区域データの更新を行う。
具体的には、制御部１２１１は、更新情報に含まれる区域識別子で識別される端末側の標準区域データ（無効な標準区域データ）を、更新情報に含まれる標準区域データ（有効な標準区域データ）で更新する。
【００９２】
ステップＳ２３１において、地図サーバ装置２００の抽出部２１３は、区域順序に基づいて、配信順序を決定する。
配信順序は、区域順序における地域区域の順序である。
【００９３】
ステップＳ２３２からステップＳ２３４は、配信順序に含まれる地域区域毎に実行される。
【００９４】
ステップＳ２３２において、地図サーバ装置２００の抽出部２１３は、配信順序に従って地域区域を１つ選択し、選択した地域区域について地域地図データから地域区域データ（出発地道路データ、目的地道路データまたは勧誘地道路データの一例）を抽出する。
そして、地図サーバ装置２００の配信部２１４は、抽出された地域区域データを車載端末１２０へ送信する。
【００９５】
ステップＳ２３３において、車載端末１２０の通信部１２２２は地域区域データを受信する。
そして、記憶部１２２１は、受信された地域区域データを記憶する。
【００９６】
車両１１０が標準道路３１１を走行している場合、自動運転部１２１２は、標準区域データに基づいて車両１１０の自動運転を行う。
車両１１０が出発地道路３３２、目的地道路３４２または勧誘地道路３４４を走行している場合、自動運転部１２１２は、地域区域データに基づいて車両１１０の自動運転を行う。
【００９７】
ステップＳ２３４において、車載端末１２０の通信部１２２２は、受信通知を地図サーバ装置２００へ送信する。
地図サーバ装置２００の通信部２２３は、受信通知を受信する。
【００９８】
ステップＳ２３５は、配信順序に含まれる全ての地域区域について地域区域データが配信された後に実行される。
【００９９】
ステップＳ２３５において、地図サーバ装置２００の制御部２１２は、車載端末１２０の識別子に対応付けられた経路情報をメモリ２０２から削除する。
【０１００】
ステップＳ２３６において、地図サーバ装置２００の課金部２１５は、配信された地域区域データ毎に課金処理を行う。
具体的には、課金部２１５は、車載端末１２０の識別子に基づいて利用者を特定し、地域区域データの料金を利用者に対して課金する。
または、課金部２１５は、自治体一覧から地域区域データに対応する自治体を選択し、地域区域データの料金を自治体に対して課金する。
【０１０１】
＊＊＊実施の形態１の効果＊＊＊
標準地図データと地域地図データとは互いに異なる領域（標準地図記憶部２２１と地域地図記憶部２２２）に記憶される
さらに、地域地図記憶部２２２は、地域地図データを記憶するための領域を地域毎に確保する。
したがって、全地域の地域地図データを記憶するための領域を予め確保する必要が無い。これにより、地図サーバ装置２００の記憶領域を節約することができる。
【０１０２】
地域地図データは地域区域データ毎に配信される。これにより、不要な地域区域データの配信を防ぐことができる。そして、車載端末１２０の記憶領域を節約することができる。
【０１０３】
地図サーバ装置２００は勧誘地道路データを配信する。そのため、車両１１０は、勧誘地３４３まで自動運転で走行することができる。これにより、勧誘地３４３へ移動が楽になるため、勧誘地３４３に立ち寄る人が増加する。その結果、地域が活性化される。
つまり、モービルマッピングシステムによって計測された道路が増えれば増えるほど、地域の活性化に繋がる。そのため、各自治体が自主的に道路計測を行うことが期待される。その結果、より多くの道路で計測が行われ、より多くの道路で自動運転が可能となる。
【０１０４】
配信された地域地図データの利用料を利用者または提供者に対して課金することができる。
【０１０５】
＊＊＊他の構成＊＊＊
配信単位は地域区域データでなくてもよい。つまり、地域地図データは地域区域データ毎に配信されなくてもよい。
例えば、配信単位は地域区域データの構成要素（リンクおよびノードなど）であってもよい。つまり、地域地図データは分割された構成要素毎に配信されてもよい。
【０１０６】
地図関連システムが存在してもよい。
地図関連システムは、地図サーバ装置２００と車載端末１２０との間で地図データを中継する。地図データは、地図関連システムを経由して配信される。
例えば、地図関連システムは、地図会社、車会社またはナビゲーションシステム会社などが利用するシステムである。
【０１０７】
地域要求、候補地要求または配信要求は、車載端末１２０ではなく、スマートフォンまたはタブレット型コンピュータなどの利用者端末によって送信されてもよい。
【０１０８】
車載端末１２０には目的地３４１に対応した地図データ（目的地道路データ）が記憶されている場合が有る。
そこで、車載端末１２０は、目的地道路データを記憶していない場合にだけ目的地道路データの配信を要求してもよい。
また、地図サーバ装置２００は、要求された目的地道路データを存在しない場合、配信できない旨を車載端末１２０に通知してもよい。
【０１０９】
課金部２１５は、地域地図データ（地域区域データ）毎に配信回数をカウントし、配信回数に応じた料金をまとめて自治体に対して課金してもよい。
また、課金部２１５は、配信回数を自治体に通知してもよい。例えば、課金部２１５は、予め決められた端末宛てまたはアドレス宛てに配信通知を送信する。配信通知は配信回数を示す。
自治体は、配信回数を確認することにより、地域地図データ（地域区域データ）の利用状況を知ることができる。そして、自治体は、地域地図データ（地域区域データ）の利用状況を地域振興計画に役立てることができる。
【０１１０】
課金部２１５は、配信された地域地図データに対応する地域に基づいて、課金先（利用者または提供者）を選択してもよい。
具体的には、地域毎に課金先を示す課金先一覧がメモリ２０２（情報記憶部）に予め記憶される。課金部２１５は、配信された地域地図データに対応する地域を課金先一覧から選択する。そして、課金部２１５は、選択した地域に対応する課金先に対して課金する。
【０１１１】
実施の形態２．
車両１１０がレンタカーである形態について、主に実施の形態１と異なる点を説明する。
【０１１２】
＊＊＊構成の説明＊＊＊
車両１１０は、レンタカーである。
車載端末１２０には、レンタル地域の地域地図データが予め配信される。
レンタル地域は、車両１１０が貸し出される地域である。
【０１１３】
＊＊＊動作の説明＊＊＊
配信部２１４は、レンタル地域の地域地図データを地域地図記憶部２２２から選択し、選択した地域地図データを車載端末１２０へ配信する。
【０１１４】
課金部２１５は、配信された地域地図データについての課金処理を行う。
具体的には、課金部２１５は、配信された地域地図データの料金をレンタカー会社に対して課金する。
【０１１５】
レンタル地域の地域地図データが車載端末１２０に配信された後、車両１１０は貸し出される。
車載端末１２０にはレンタル地域の地域地図データが記憶されているため、車両１１０はレンタル地域内を自動運転で移動することができる。
【０１１６】
車両１１０がレンタル地域外の地域の目的地３４１に移動する場合、実施の形態１と同じく、目的地域３４０の地域地図データが配信される。
【０１１７】
＊＊＊実施の形態２の効果＊＊＊
レンタル地域の地域地図データをレンタカーに配信し、レンタル地域の地域地図データが記憶されたレンタカーを貸し出すことができる。レンタル地域の地域地図データの利用料はレンタカー会社に対して課金することができる。そして、レンタカーの利用者は、レンタル料だけで、レンタル地域の地域地図データを利用することができる。つまり、利用者は、自動運転でレンタル地域内を移動することができる。
【０１１８】
＊＊＊実施の形態の補足＊＊＊
実施の形態は、好ましい形態の例示であり、本発明の技術的範囲を制限することを意図するものではない。実施の形態は、部分的に実施してもよいし、他の形態と組み合わせて実施してもよい。フローチャート等を用いて説明した手順は、適宜に変更してもよい。
【符号の説明】
【０１１９】
１００  地図配信システム、１０１  ネットワーク、１１０  車両、１２０  車載端末、２００  地図サーバ装置、２０１  プロセッサ、２０２  メモリ、２０３  補助記憶装置、２０４  通信装置、２０５  入出力インタフェース、２１０  地域地図取得部、２１１  地域地図管理部、２１２  制御部、２１３  抽出部、２１４  配信部、２１５  課金部、２２１  標準地図記憶部、２２２  地域地図記憶部、２２３  通信部、２２４  受付部、３０１  地域、３１０  標準地図、３１１  標準道路、３１２  入口、３１３  出口、３２０  地域地図、３２１  地域道路、３３０  出発地域、３３１  出発地、３３２  出発地道路、３３３  開始地点、３４０  目的地域、３４１  目的地、３４２  目的地道路、３４３  勧誘地、３４４  勧誘地道路、４０１  地域一覧画面、４０２  候補地一覧画面、４０３  勧誘地一覧画面、１２０１  プロセッサ、１２０２  メモリ、１２０３  補助記憶装置、１２０４  通信装置、１２０５  入出力インタフェース、１２１１  制御部、１２１２  自動運転部、１２２１  記憶部、１２２２  通信部、１２２３  受付部。
【図１】
2019095285.tif 000003
【図２】
2019095285.tif 000004
【図３】
2019095285.tif 000005
【図４】
2019095285.tif 000006
【図５】
2019095285.tif 000007
【図６】
2019095285.tif 000008
【図７】
2019095285.tif 000009
【図８】
2019095285.tif 000010
【図９】
2019095285.tif 000011
【図１０】
2019095285.tif 000012
【図１１】
2019095285.tif 000013
【図１２】
2019095285.tif 000014
【図１３】
2019095285.tif 000015
【図１４】
2019095285.tif 000016
【図１５】
2019095285.tif 000017